(57)【要約】【課題】底蓋片の変形による空隙を生じさせることのないワンタッチで組み立て可能なボトムロック式包装箱を提供すること。【解決手段】ブランク10を折り曲げ、第１妻板舌片111,表面側板底片121,第２妻板舌片131,背面側板底片141 をそれぞれ折り込み、表面側板底片の固定片123 を斜め方向の折り曲げc に沿って谷折りし、背面側板底片の固定片143 を斜め方向の折り曲げc に沿って谷折りし、第２妻板舌片の表面と背面側板底片の固定片の裏面を貼着し、第１妻板舌片の表面と表面側板底片の固定片の裏面を貼着して、糊代片15を第１妻板11の裏面に貼着して、偏平に折り畳んだブランクをワンタッチで角筒状に起こした際、表面側板底片の突出部123 が、背面側板14と背面側板底片を分ける横方向の折り曲げ線ｂ上に設けられた切り込みｆに差し込まれて、表面側板底片が包装箱の底部に固定される。【選択図】図２
2006069564.tif 000002
【特許請求の範囲】
【請求項１】
一枚のブランクを組み立てて成るボトムロック式包装箱であって、前記ブランクは、
第１妻板、表面側板、第２妻板、背面側板、糊代片がそれぞれ縦方向の折り曲げ線を介して連設され、
前記第１妻板、表面側板、第２妻板、背面側板の下端縁にはそれぞれ横方向の折り曲げ線を介して、第１妻板舌片、表面側板底片、第２妻板舌片、背面側板底片が連設され、
前記表面側板底片の略中央部分に、先端縁から内方にくの字状の嵌合切り欠きが設けられ、
前記表面側板底片の第１妻板舌片寄りには、隅角から嵌合切り欠き方向に向けて設けられた斜め方向の折り曲げ線により略三角形状の固定片が区画形成され、
前記表面側板底片の固定片の設けられていない方の嵌合切り欠きには切り欠き縁から突出する舌状の突起片が設けられ、
前記背面側板底片の略中央部分に、先端縁から内方にくの字状の嵌合切り欠きが設けられ、
前記背面側板底片の第２妻板舌片寄りには、隅角から嵌合切り欠き方向に向けて設けられた斜め方向の折り曲げ線により略三角形状の固定片が区画形成され、
前記背面側板底片の固定片の設けられていない方の嵌合切り欠きには切り欠き縁から突出する舌状の突起片が設けられた構造からなり、
前記ブランクを縦方向の折り曲げ線に沿って折り曲げ、ついで、第１妻板舌片、表面側板底片、第２妻板舌片、背面側板底片をそれぞれ横方向の折り曲げ線に沿って折り込み、表面側板底片の固定片を斜め方向の折り曲げ線に沿って谷折りし、背面側板底片の固定片を斜め方向の折り曲げ線に沿って谷折りし、第２妻板舌片の表面と背面側板底片の固定片の裏面を貼着し、第１妻板舌片の表面と表面側板底片の固定片の裏面を貼着して、糊代片を第１妻板の裏面に貼着して偏平に折り畳んだブランクをワンタッチで角筒状に起こした際、表面側板底片の嵌合切り欠きと背面側板底片の嵌合切り欠きとは互いに嵌合して、包装箱の底部が固定されることを特徴とする、ボトムロック式包装箱。
【請求項２】
前記表面側板底片の嵌合切り欠きと、背面側板底片の嵌合切り欠きとに設けられたそれぞれの突起片の基部には、切り欠き縁の両側を結ぶミシン目状の切れ目線が設けられていることを特徴とする、請求項１記載のボトムロック式包装箱。
【請求項３】
前記突起片の基部に設けられる切り欠き縁の両側を結ぶミシン目状の切れ目線は、一方の突起片にのみ設けられていることを特徴とする、ボトムロック式包装箱。
【発明の詳細な説明】
【技術分野】
【０００１】
本発明は、ワンタッチ底におけるボトムロック式包装箱に関するものであり、特には、ワンタッチ底に空隙を生じさせない構造を有するボトムロック式包装箱に関する。
【背景技術】
【０００２】
従来、運搬時や保管時には、偏平に折り畳んだ状態で省スペースを発揮し、使用時にはワンタッチで有底の角筒形状に組み立てて使用するボトムロック式の包装箱が知られている（例えば、特許文献１，特許文献２参照）。
【０００３】
上記先行技術文献を示す。
【特許文献１】実公昭３２−７７８８号公報
【特許文献２】実公昭３２−１５９８３号公報。
【０００４】
これらの技術は、例えば、図４に示すように、ダンボールや板紙などから形成される包装箱であって、妻板（２２１，２２３）及び側板（２２２，２２４）並びに糊代片（２２５）が、縦方向の折り曲げ線（ａ）により区画され、さらに、妻板（２２１，２２３）及び側板（２２２，２２４）の下端縁には、底蓋を構成する４枚の底蓋片（２２６，２２７，２２８，２２９）が横方向の折り曲げ線（ｂ）を介して連設されている。
【０００５】
底蓋片（２２７，２２９）の隅角部には、斜め方向の折り曲げ線（ｃ）を介して固定片（２３０，２３１）が配設されている。
【０００６】
そして、この従来例は、妻板（２２１，２２３）と側板（２２２，２２４）を折り曲げ線（ａ）に沿って折り曲げ、糊代片（２２５）を妻板（２２１）の裏面に貼着して角筒状に形成し、かつ、底蓋は底蓋片（２２６，２２８）と固定片（２３０，２３１）とを糊付け、あるいはステッチ止めなどの方法により固定されている。
【０００７】
使用時には、側板や妻板が接合する偏平状態から底部を菱形から角形にワンタッチで変形させて角筒状に形成する。
【０００８】
箱全体を角筒状にすると、自動的に底蓋片（２２６，２２７，２２８，２２９）は、ボトムロック式の底蓋を形成するようになり、その後、箱内に製品を収納して運搬や保管などに使用される。
【発明の開示】
【発明が解決しようとする課題】
【０００９】
ところが以上の従来例では、折り畳んだ角筒状のスリーブを自動的に起こすだけで包装箱に組み立てることができるという利点はあるが、組み立て後に包装箱に斜め方向に押しつぶすような力が働くと、互いに隣接する底蓋片の間に簡単に隙間が生じてしまい、製品が脱落したり抜き取られたりするおそれがある。
【００１０】
また、特に横長の包装箱の場合には、底蓋片をちょっとたわませただけでも包装箱の底に隙間が出来てしまう。従って、本来の開口部を開けることなく、底蓋を変形させて隙間を生じさせ、そこから中身を抜き取ることもできるという問題がある。
【００１１】
本発明は、ワンタッチで組み立て可能なボトムロック式の包装箱に関する以上のような問題に鑑みてなされたもので、底蓋片の変形による空隙を生じさせることのないように底蓋片をロックにより嵌合させたワンタッチで組み立て可能なボトムロック式包装箱を提供することを課題とする。
【課題を解決するための手段】
【００１２】
本発明の請求項１の発明は、一枚のブランクを組み立てて成るボトムロック式包装箱であって、前記ブランクは、第１妻板、表面側板、第２妻板、背面側板、糊代片がそれぞれ縦方向の折り曲げ線を介して連設され、前記第１妻板、表面側板、第２妻板、背面側板の下端縁にはそれぞれ横方向の折り曲げ線を介して、第１妻板舌片、表面側板底片、第２妻板舌片、背面側板底片が連設され、前記表面側板底片の略中央部分に、先端縁から内方にくの字状の嵌合切り欠きが設けられ、前記表面側板底片の第１妻板舌片寄りには、隅角から嵌合切り欠き方向に向けて設けられた斜め方向の折り曲げ線により略三角形状の固定片が区画形成され、前記表面側板底片の固定片の設けられていない方の嵌合切り欠きには切り欠き縁から突出する舌状の突起片が設けられ、前記背面側板底片の略中央部分に、先端縁から内方にくの字状の嵌合切り欠きが設けられ、前記背面側板底片の第２妻板舌片寄りには、隅角から嵌合切り欠き方向に向けて設けられた斜め方向の折り曲げ線により略三角形状の固定片が区画形成され、前記背面側板底片の固定片の設けられていない方の嵌合切り欠きには切り欠き縁から突出する舌状の突起片が設けられた構造からなり、前記ブランクを縦方向の折り曲げ線に沿って折り曲げ、ついで、第１妻板舌片、表面側板底片、第２妻板舌片、背面側板底片をそれぞれ横方向の折り曲げ線に沿って折り込み、表面側板底片の固定片を斜め方向の折り曲げ線に沿って谷折りし、背面側板底片の固定片を斜め方向の折り曲げ線に沿って谷折りし、第２妻板舌片の表面と背面側板底片の固定片の裏面を貼着し、第１妻板舌片の表面と表面側板底片の固定片の裏面を貼着して、糊代片を第１妻板の裏面に貼着して偏平に折り畳んだブランクをワンタッチで角筒状に起こした際、表面側板底片の嵌合切り欠きと背面側板底片の嵌合切り欠きとは互いに嵌合して、包装箱の底部が固定されることを特徴とする、ボトムロック式包装箱である。
【００１３】
このように請求項１記載の発明によれば、表面側板底片の略中央部分に、先端縁から内方にくの字状の嵌合切り欠きが設けられ、表面側板底片の第１妻板舌片寄りには、隅角から嵌合切り欠き方向に向けて設けられた斜め方向の折り曲げ線により略三角形状の固定片が区画形成され、表面側板底片の固定片の設けられていない方の嵌合切り欠きには切り欠き縁から突出する舌状の突起片が設けられ、また、背面側板底片の略中央部分に、先端縁から内方にくの字状の嵌合切り欠きが設けられ、背面側板底片の第２妻板舌片寄りには、隅角から嵌合切り欠き方向に向けて設けられた斜め方向の折り曲げ線により略三角形状の固定片が区画形成され、背面側板底片の固定片の設けられていない方の嵌合切り欠きには切り欠き縁から突出する舌状の突起片が設けられた構成からなるので、ブランクを縦方向の折り曲げ線に沿って折り曲げ、ついで、第１妻板舌片、表面側板底片、第２妻板舌片、背面側板底片をそれぞれ横方向の折り曲げ線に沿って折り込み、表面側板底片の固定片を斜め方向の折り曲げ線に沿って谷折りし、背面側板底片の固定片を斜め方向の折り曲げ線に沿って谷折りし、第２妻板舌片の表面と背面側板底片の固定片の裏面を貼着し、第１妻板舌片の表面と表面側板底片の固定片の裏面を貼着して、糊代片を第１妻板の裏面に貼着して偏平に折り畳んだブランクをワンタッチで角筒状に起こすと、表面側板底片の嵌合切り欠きと背面側板底片の嵌合切り欠きとは互いに嵌合して、包装箱の底部が固定して、包装箱の底蓋を構成する第１妻板舌片、表面側板底片、第２妻板舌片、背面側板底片が、内側に立ち上がることを防止する。
【００１４】
また、請求項２の発明は、請求項１の発明において、前記表面側板底片の嵌合切り欠きと、背面側板底片の嵌合切り欠きとに設けられたそれぞれの突起片の基部には、切り欠き縁の両側を結ぶミシン目状の切れ目線が設けられていることを特徴とする、ボトムロック
式包装箱である。
【００１５】
このように請求項２記載の発明によれば、表面側板底片の嵌合切り欠きと、背面側板底片の嵌合切り欠きとに設けられたそれぞれの突起片の基部に切り欠き縁の両側を結ぶミシン目状の切れ目線を設けることにより、表面側板底片と背面側板底片が互いに設けられた嵌合切り欠きを利用して嵌合して底蓋を平面状態に組み上げる際、表面側板底片の突起片と背面側板底片の突起片が折り曲がり易くなり、表面側板底片と背面側板底片との嵌合がやり易くなる。
【００１６】
また、請求項３の発明は、請求項１又は２の発明において、前記突起片の基部に設けられる切り欠き縁の両側を結ぶミシン目状の切れ目線は、一方の突起片にのみ設けられていることを特徴とする、ボトムロック式包装箱である。
【００１７】
このように請求項３記載の発明によれば、表面側板底片の嵌合切り欠きに設けられた突起片か、背面側板底片の嵌合切り欠きに設けられた突起片のいずれか一方の突起片の基部に切り欠き縁の両側を結ぶミシン目状の切れ目線を設けることによっても、表面側板底片と背面側板底片の両方の突起片にミシン目状の切れ目線を設けた場合と同様の効果を得ることができる。
【発明の効果】
【００１８】
このように本発明のボトムロック式包装箱は、ワンタッチ底の中央嵌合部分に舌状の突起片を設けて強固に嵌合させることにより底蓋の変形を防止する。また、突起片の基部にミシン目状の切れ目線を設定することにより、ワンタッチ底の組み立てを容易にすることができる。
【発明を実施するための最良の形態】
【００１９】
本発明を一実施形態に基づいて以下に詳細に説明する。
本発明のボトムロック式の包装箱は、一枚の板紙やダンボールシートを組み立てて成るものである。
【００２０】
そしてそのブランク（１０）は、例えば図１に示すように、第１妻板（１１）、表面側板（１２）、第２妻板（１３）、背面側板（１４）、糊代片（１５）がそれぞれ縦方向の折り曲げ線（ａ）を介して連設されている。
【００２１】
第１妻板（１１）、表面側板（１２）、第２妻板（１３）、背面側板（１４）の下端縁にはそれぞれ横方向の折り曲げ線（ｂ）を介して、第１妻板舌片（１１１）、表面側板底片（１２１）、第２妻板舌片（１３１）、背面側板底片（１４１）が連設されている。
【００２２】
第１妻板（１１）の上端縁には横方向の折り曲げ線を介して第１妻板蓋舌片（１１２）が連設されている。
【００２３】
表面側板底片（１２１）の略中央部分には、先端縁から内方にくの字状の嵌合切り欠き（１２２）が設けられている。
【００２４】
表面側板底片（１２１）の第１妻板舌片（１１１）寄りには、隅角から嵌合切り欠き（１２２）方向に向けて斜め方向に４５°の角度で折り曲げ線（ｃ）が設けられ、この折り曲げ線（ｃ）により略三角形状の固定片（１２３）が区画形成されている。
【００２５】
また、表面側板底片（１２１）の固定片（１２３）が設けられていない方の嵌合切り欠き（１２２）には、切り欠き縁から突出する舌状の突起片（１２４）が設けられている。
突起片（１２４）の基部には、切り欠き縁の両側を結ぶミシン目状の切れ目線（ｄ）を設けても良い。
【００２６】
第２妻板（１３）の上端縁には横方向の折り曲げ線を介して第２妻板蓋舌片（１３２）が連設されている。
【００２７】
背面側板底片（１４１）の略中央部分には、先端縁から内方にくの字状の嵌合切り欠き（１４２）が設けられている。
【００２８】
背面側板底片（１４１）の第２妻板舌片（１３１）寄りには、隅角から嵌合切り欠き（１４２）方向に向けて斜め方向に４５°の角度で折り曲げ線（ｃ）が設けられ、この折り曲げ線（ｃ）により略三角形状の固定片（１４３）が区画形成されている。
【００２９】
また、背面側板底片（１４１）の固定片（１４３）が設けられていない方の嵌合切り欠き（１４２）には、切り欠き縁から突出する舌状の突起片（１４４）が設けられている。突起片（１４４）の基部には、切り欠き縁の両側を結ぶミシン目状の切れ目線（ｄ）を設けても良い。ミシン目状の切れ目線（ｄ）を設けることにより、ワンタッチで包装箱に組み上げる際、表面側板底片の突起片と背面側板底片の突起片が折り曲がり易くなり、表面側板底片と背面側板底片の嵌合がやり易くなる。
なお、突起片（１２４，１４４）に設けるミシン目状の切れ目線（ｄ）は、表面側板底片（１２１）か背面側板底片（１４１）か、どちらか一方の突起片にのみ設けても良い。
【００３０】
背面側板（１４）の上端縁には、横方向の折り曲げ線を介して天板（１４５）が連設され、天板（１４５）の先端縁には、横方向の折り曲げ線を介して天板差し込み片（１４６）が連設されている。
【００３１】
本発明のボトムロック式包装箱のブランク（１０）は、以上のような構造からなっている。
【００３２】
このブランク（１０）を縦方向の折り曲げ線（ａ）に沿って折り曲げ、ついで、第１妻板舌片（１１１）、表面側板底片（１２１）、第２妻板舌片（１３１）、背面側板底片（１４１）をそれぞれ横方向の折り曲げ線（ｂ）に沿って折り込み、表面側板底片（１２１）の固定片（１２３）を斜め方向の折り曲げ線（ｃ）に沿って谷折りし、背面側板底片（１４１）の固定片（１４２）を斜め方向の折り曲げ線（ｃ）に沿って谷折りし、第２妻板舌片（１３１）の表面と背面側板底片（１４１）の固定片（１４３）の裏面を貼着し、第１妻板舌片（１１１）の表面と表面側板底片（１２１）の固定片（１２３）の裏面を貼着して、糊代片（１５）を第１妻板（１１）の裏面に貼着して偏平に折り畳んだブランク（１０）をワンタッチで角筒状に起こした際、表面側板底片（１２１）の嵌合切り欠き（１２２）と背面側板底片（１４１）の嵌合切り欠き（１４２）とは互いに嵌合して、包装箱の底部は固定される。
【００３３】
従って、表面側板底片（１２１）の嵌合切り欠き（１２２）と背面側板底片（１４１）の嵌合切り欠き（１４２）とは互いに嵌合して、包装箱の底部は固定されているので、包装箱の底蓋を構成する第１妻板舌片（１１１）、表面側板底片（１２１）、第２妻板舌片（１３１）、背面側板底片（１４１）が、内側に立ち上がることを阻止しており、包装箱の底蓋に空隙を生じることがない。
【００３４】
また、表面側板底片（１２１）と背面側板底片（１４１）に設けられる突起片（１２４，１４４）の基部に、切り欠き縁の両側を結ぶミシン目状の切れ目線（ｄ）を設けることにより、ワンタッチで包装箱に組み上げる際、表面側板底片の突起片と背面側板底片の突
起片が折り曲がり易くなり、表面側板底片と背面側板底片の嵌合がやり易くなる。
【図面の簡単な説明】
【００３５】
【図１】本発明のボトムロック式包装箱のブランクの一実施例を示す、平面説明図である。
【図２】図１のブランクをボトムロック式包装箱に組み立てる途上の状態を示す、底面から見た斜視説明図である。
【図３】図１のブランクをボトムロック式包装箱に組み立てた状態を示す、底面から見た斜視説明図である。であり、（ｂ）は図２のＢ−Ｂ’線断面説明図（突出部のない箇所）である。
【図４】従来のボトムロック式包装箱のブランクの一例を示す、平面説明図である。
【符号の説明】
【００３６】
１０‥‥ブランク
１１‥‥第１妻板
１２‥‥表面側板
１３‥‥第２妻板
１４‥‥背面側板
１５‥‥糊代片
１１１‥‥第１妻板舌片
１１２‥‥第１妻板蓋舌片
１２１‥‥表面側板底片
１２２‥‥嵌合切り欠き
１２３‥‥固定片
１２４‥‥突起片
１３１‥‥第２妻板舌片
１３２‥‥第２妻板蓋舌片
１４１‥‥背面側板底片
１４２‥‥嵌合切り欠き
１４３‥‥固定片
１４４‥‥突起片
１４５‥‥天板
１４６‥‥天板差し込み片
２２１‥‥側板
２２２‥‥側板
２２３‥‥妻板
２２４‥‥妻板
２２５‥‥糊代片
２２６‥‥底蓋片
２２７‥‥底蓋片
２２８‥‥底蓋片
２２９‥‥底蓋片
２３０‥‥固定片
２３１‥‥固定片
ａ‥‥縦方向の折り曲げ線
ｂ‥‥横方向の折り曲げ線
ｃ‥‥斜め方向の折り曲げ線
ｄ‥‥ミシン目状の切れ目線
【図１】
2006069564.tif 000003
【図２】
2006069564.tif 000004
【図３】
2006069564.tif 000005
【図４】
2006069564.tif 000006